(57)【要約】【課題】２層のプラスチックフィルム３ａ，３ｂ間に形成された複数のエア導入口２を有するエア式緩衝袋１において、エアをエア導入口から導入するとき、それを自動的に導入する。【解決手段】複数のノズル４がノズルガイド５と組み合わされる。ノズルガイドは一定長さの端縁７を有する。さらに、複数の孔８がノズルガイド内に形成され、ノズルガイドの端縁に開口し、各ノズルが各孔に挿入される。さらに、ノズルガイドの端縁が各フィルム間に挿入され、ノズルガイドの端縁付近において、一対の弾性クランプ材によって各フィルムがクランプされる。その後、各ノズルがノズルガイドの端縁から突出し、各フィルム間に押し込まれ、各エア導入口に挿入され、各ノズルによってエアが導入される。【選択図】図１
2005126143.tif 000002
【特許請求の範囲】
【請求項１】
２層のプラスチックフィルム間に形成された複数のエア導入口を有するエア式緩衝袋に使用し、エアを前記エア導入口から導入するエア式緩衝袋のエア導入装置であって、
一定長さの端縁を有するノズルガイドと、
前記ノズルガイド内に形成され、前記ノズルガイドの端縁に開口する複数の孔と、
前記各孔に挿入された複数のノズルと、
前記ノズルガイドの端縁を前記各フィルム間に挿入する手段と、
前記ノズルガイドの端縁の挿入後、前記ノズルガイドの端縁付近において、前記各フィルムをクランプする一対の弾性クランプ材とからなり、
前記フィルムのクランプ後、前記各ノズルを前記ノズルガイドの端縁から突出させ、前記各フィルム間に押し込み、前記各エア導入口に挿入し、前記各ノズルによってエアを導入するようにしたことを特徴とするエア式緩衝袋のエア導入装置。
【請求項２】
前記ノズルガイドはその端縁に向かってのびるテーパ面を有し、前記ノズルガイドの端縁の一方側において、前記各フィルムが前記各クランプ材と前記テーパ面間にクランプされ、前記ノズルガイドの端縁の他方側において、前記各フィルムが前記各クランプ材間にクランプされるようにしたことを特徴とする請求項１に記載のエア導入装置。
【請求項３】
前記ノズルの先端がＶ字状に配列されており、まず、中央のノズルが中央のエア導入口に挿入され、その後、他のエア導入口において、他のノズルが順次挿入されるようにしたことを特徴とする請求項２に記載のエア導入装置。
【請求項４】
前記ノズルのピッチが前記エア導入口のピッチよりも小さく選定されており、前記各エア導入口において、前記各ノズルが順次挿入されたとき、前記ノズルによって前記エア導入口が拡大され、そのピッチが減少し、前記ノズルのピッチが前記エア導入口のピッチに対応するようにしたことを特徴とする請求項３に記載のエア導入装置。
【請求項５】
前記ノズルガイドの端縁付近において、前記各クランプ材が前記ノズルガイドの中央位置に配置され、複数対の付加的クランプローラが前記クランプ材の両側に配置され、前記クランプローラは前記ノズルに平行にのび、回転可能に支持されており、前記ノズルガイドの中央位置において、前記各クランプ材によって前記各フィルムがクランプされ、その両側において、前記各クランプローラによって前記各フィルムがクランプされ、前記ノズルによって前記エア導入口が拡大され、そのピッチが減少するとき、前記各クランプローラによって前記各フィルムが案内され、変位するようにしたことを特徴とする請求項４に記載のエア導入装置。
【請求項６】
前記各ノズル間において、前記各クランプローラによって前記各フィルムがクランプされるようにしたことを特徴とする請求項５に記載のエア導入装置。
【発明の詳細な説明】
【技術分野】
【０００１】
この発明は、エア式緩衝袋のエア導入装置に関するものである。
【背景技術】
【０００２】
一般に、特定の物品を収容するためのものとしてエア式緩衝袋が使用されている。たとえば、特許第２６２６８７９号公報（特許文献１）に記載されているものがそれである。同公報の袋は複数のエア導入口を有し、エア導入口は２層のプラスチックフィルム間に形成される。さらに、複数のエア室が各フィルム間に形成され、エア導入口とエア室間において、複数の逆止弁が各フィルム間に設けられる。したがって、エアをエア導入口から導入すると、エアが各逆止弁を通り、各エア室に導入され、エアによって各エア室が膨張する。これによって袋の緩衝作用が得られるものである。
【０００３】
ところで、同公報の袋において、エアをエア導入口から導入することは必須の要件である。したがって、それを自動化する装置の開発が強く要望されている。
【０００４】
したがって、この発明は、特別の構成のエア導入装置を新たに提供し、２層のプラスチックフィルム間に形成された複数のエア導入口を有するエア式緩衝袋において、エアをエア導入口から導入するとき、それを自動的に導入することを目的としてなされたものである。
【特許文献１】特許第２６２６８７９号公報
【発明の開示】
【０００５】
この発明によれば、複数のノズルがノズルガイドと組み合わされる。ノズルガイドは一定長さの端縁を有する。さらに、複数の孔がノズルガイド内に形成され、ノズルガイドの端縁に開口し、各ノズルが各孔に挿入される。さらに、ノズルガイドの端縁が各フィルム間に挿入され、ノズルガイドの端縁の挿入後、ノズルガイドの端縁付近において、一対の弾性クランプ材によって各フィルムがクランプされる。その後、各ノズルがノズルガイドの端縁から突出し、各フィルム間に押し込まれ、各エア導入口に挿入され、各ノズルによってエアが導入される。
【０００６】
好ましい実施例では、ノズルガイドはその端縁に向かってのびるテーパ面を有する。そして、ノズルガイドの端縁の一方側において、各フィルムが各クランプ材とテーパ面間にクランプされ、ノズルガイドの端縁の他方側において、各フィルムが各クランプ材間にクランプされる。
【０００７】
さらに、ノズルの先端がＶ字状に配列される。したがって、まず、中央のノズルが中央のエア導入口に挿入され、その後、他のエア導入口において、他のノズルが順次挿入される。
【０００８】
さらに、ノズルのピッチがエア導入口のピッチよりも小さく選定され、各エア導入口において、各ノズルが順次挿入されたとき、ノズルによってエア導入口が拡大され、そのピッチが減少し、ノズルのピッチがエア導入口のピッチに対応する。
【０００９】
さらに、好ましい実施例では、ノズルガイドの端縁付近において、各クランプ材がノズルガイドの中央位置に配置され、複数対の付加的クランプローラがクランプ材の両側に配置される。クランプローラはノズルに平行にのび、回転可能に支持される。そして、ノズルガイドの中央位置において、各クランプ材によって各フィルムがクランプされ、その両側において、各クランプローラによって各フィルムがクランプされ、ノズルによってエア導入口が拡大され、そのピッチが減少するとき、各クランプローラによって各フィルムが案内され、変位する。
【００１０】
この場合、各ノズル間において、各クランプローラによって各フィルムがクランプされるようにすることが好ましい。
【発明を実施するための最良の形態】
【００１１】
以下、この発明の実施例を説明する。
【００１２】
図１はこの発明にかかるエア導入装置を示す。この装置はエア式緩衝袋１に使用するためのもので、袋は複数のエア導入口２を有し、エア導入口２は２層のプラスチックフィルム３ａ，３ｂ間に形成されている。さらに、特許第２６２６８７９号公報に記載されているものと同様、複数のエア室が各フィルム３ａ，３ｂ間に形成され、エア導入口２とエア室間において、複数の逆止弁が各フィルム３ａ，３ｂ間に設けられている。したがって、エアをエア導入口２から導入すると、それが各逆止弁を通り、各エア室に導入され、エアによって各エア室が膨張する。これによって袋１の緩衝作用が得られるものである。
【００１３】
さらに、この装置では、複数のノズル４がエア源に接続され、ノズルガイド５と組み合わされている。図２に示すように、ノズルガイド５はテーパ面６および端縁７を有する。端縁７は一定長さをもち、その方向はノズルガイド５の幅方向であり、テーパ面６はノズルガイド５の端縁７に向かってのびる。さらに、複数の孔８がノズルガイド５内に形成され、ノズルガイド５の端縁７に開口し、各ノズル４が各孔８に挿入されている。孔８およびノズル４はノズルガイド５の長さ方向にのび、幅方向に配列されている。
【００１４】
さらに、ノズルガイド５の端縁７が各フィルム３ａ，３ｂ間に挿入される。この実施例では、適宜の装置９によって袋１の両側縁が保持され、袋１は垂直に配置され、エア導入口２は上向きに位置する。さらに、図３に示すように、各フィルム３ａ，３ｂのうち、一方のフィルム３ａが他方のフィルム３ｂを越え、一定距離張り出しており、最初、ノズルガイド５は傾斜した状態で待機する。その後、シリンダなどの駆動機構によってノズルガイド５が駆動され、揺動し、その端縁７が他方のフィルム３ｂを通過し、図２の位置に達し、一方のフィルム３ａに係合し、ノズルガイド５は垂直に配置される。その後、他の駆動機構によってノズルガイド５が駆動され、これが斜めに下降し、図４の位置に達し、その端縁７が各フィルム３ａ，３ｂ間に挿入される。
【００１５】
さらに、ノズルガイド５の端縁７の挿入後、ノズルガイド５の端縁７付近において、一対の弾性クランプ材１０によって各フィルム３ａ，３ｂがクランプされる。この実施例では、ノズルガイド５の厚さ方向において、一対のホルダ１１がノズルガイド５の両側に配置され、各クランプ材１０が各ホルダ１１に設けられており、ノズルガイド５にブラケット１２が固定され、ブラケット１２にホルダ１１が取り付けられ、支持されている。弾性クランプ材１０はスポンジからなる。さらに、この実施例では、補助弾性クランプ材１３によって各クランプ材１０が被覆されている。弾性クランプ材１３は合成または天然ゴム板からなる。
【００１６】
さらに、シリンダ１４、ギヤなどの駆動機構によって各ホルダ１１が駆動され、ブラケット１２の支軸１５のまわりにおいて、各ホルダ１１が逆方向に揺動する。これによって各ホルダ１１が閉じられ、図５に示すように、各クランプ材１０，１３によって各フィルム３ａ，３ｂがクランプされる。したがって、ノズルガイド５の端縁７の上側において、各フィルム３ａ，３ｂが各クランプ材１０，１３とテーパ面６間にクランプされ、ノズルガイド５の端縁７の下側において、各フィルム３Ａ，３ｂが各クランプ材１０，１３間にクランプされる。
【００１７】
さらに、フィルム３ａ，３ｂのクランプ後、各ノズル４がその長さ方向に押され、ノズルガイド５の孔８内を移動し、ノズルガイド５の端縁７から突出する。したがって、各ノズル４が各フィルム３ａ，３ｂ間に押し込まれ、各エア導入口２に挿入される。その後、エアがエア源から供給され、各ノズル４に導入され、各ノズル４から噴射され、各エア導入口２に導入される。したがって、各ノズル４によってエアが導入されるものであり、これが各逆止弁を通り、各エア室に導入され、エアによって各エア室が膨張する。
【００１８】
この装置の場合、各ノズル４が各フィルム３ａ，３ｂ間に押し込まれ、各エア導入口２に挿入されるとき、各ノズル４によって各クランプ材１０，１３が弾性変形し、各ノズル４が円滑に押し込まれ、挿入される。しかも、弾性クランプ材１３は合成または天然ゴム板からなり、大きい摩擦係数をもつ。そして、そのクランプ材１３によって各フィルム３ａ，３ｂがクランプされ、その状態でノズル４が押し込まれ、挿入される。したがって、クランプ材１３の摩擦抵抗によって各フィルム３ａ，３ｂが保持され、各ノズル４によって各フィルム３ａ，３ｂが押し下げられることはない。この結果、各ノズル３ａ，３ｂを確実に押し込み、挿入することができ、エアを的確に導入することができる。
【００１９】
なお、この装置において、各ノズル４を各エア導入口２に挿入するには、ノズル４のピッチＰ１をエア導入口２のピッチＰ１に対応させる必要がある。しかしながら、各ノズル４を各エア導入口２に挿入すると、ノズル４によってエア導入口２が拡大され、そのピッチＰ２が減少することはさけられない。
【００２０】
これを踏まえ、この実施例では、ノズル４の先端がＶ字状に配列されており、まず、中央のノズル４が中央のエア導入口２に挿入される。その後、他のエア導入口２において、他のノズル４が順次挿入される。
【００２１】
さらに、ノズル４のピッチＰ１がエア導入口２のピッチＰ２よりも小さく選定されている。そして、各エア導入口２において、各ノズル４が順次挿入されたとき、ノズル４によってエア導入口２が拡大され、そのピッチＰ２が減少し、ノズル４のピッチＰ１がエア導入口２のピッチに対応する。
【００２２】
たとえば、中央のノズル４が中央のエア導入口２に挿入されたとき、ノズル４によってその導入口２が拡大され、次のエア導入口２とのピッチＰ２が減少し、ノズル４のピッチＰ１がそれに対応する。その後、次のノズル４が次のエア導入口２に挿入されたとき、ノズル４によってそのエア導入口２が拡大され、その次のエア導入口２とのピッチＰ２が減少し、ノズル４のピッチＰ１がそれに対応する。これが順次繰り返され、各ノズル４が各エア導入口２に挿入されるものである。したがって、ノズル４によってエア導入口２が拡大され、そのピッチＰ２が減少しても、それに関係なく、各ノズル４を的確に挿入することができ、問題はない。
【００２３】
図６は他の実施例を示す。図７に示すように、この実施例でも、スポンジ製のクランプ材１０が各ホルダ１１に設けられ、合成または天然ゴム製のクランプ材１３によって各クランプ材１０が被覆されていることは図１の実施例と同様であるが、その幅は大幅に縮小され、ノズル４よりもわずかに大きいだけである。そして、ノズルガイド５の端縁７付近において、各クランプ材１０，１３がノズルガイド５の中央位置に配置されている。さらに、ノズルガイド５の厚さ方向において、一対のプレート１６がノズルガイド５の両側に配置され、各ホルダ１１が各プレート１６に取り付けられ、固定されている。さらに、図１の実施例と同様、ノズルガイド５にブラケット１２が固定されており、ブラケット１２にプレート１６が取り付けられ、支持されている。さらに、この実施例では、ノズルガイド５の端縁７付近において、複数対の付加的クランプローラ１７がクランプ材１０，１３の両側に配置されている。クランプローラ１７はゴムローラであり、ノズル４に平行にのびる。さらに、クランプローラ１７の両端において、それぞれホルダ１８が設けられ、各ホルダ１８が各プレート１６に取り付けられ、固定されており、クランプローラ１７は各ホルダ１８に取り付けられ、回転可能に支持されている。
【００２４】
そして、図１のホルダ１１と同様、シリンダ１４、ギヤなどの駆動機構によって各プレート１６が駆動され、ブラケット１２の支軸１５のまわりにおいて、各プレート１６が逆方向に揺動し、これによって各プレート１６が閉じられる。したがって、ノズルガイド５の中央位置において、各クランプ材１０，１３によって各フィルム３ａ，３ｂがクランプされ、その両側において、各クランプローラ１７によって各フィルム３ａ，３ｂがクランプされる。その後、各ノズル４が各フィルム３ａ，３ｂ間に押し込まれ、各エア導入口２において、各ノズル４が順次挿入されるものである。この実施例では、中央のノズル４の位置において、各クランプ材１０，１３によって各フィルム３ａ，３ｂがクランプされ、各ノズル４間において、各クランプローラ１７によって各フィルム３ａ，３ｂがクランプされる。そのクランプ状態については、ノズルガイド５の端縁７の上側において、各フィルム３ａ，３ｂが各クランプ材１０，１３とテーパ面６間にクランプされ、ノズルガイド５の端縁７の下側において、各フィルム３ａ，３ｂが各クランプ材１０，１３間にクランプされる。さらに、ノズルガイド５の端縁７の上側において、各フィルム３ａ，３ｂが各クランプローラ１７とテーパ面６間にクランプされる。
【００２５】
したがって、図６の実施例でも、各エア導入口２において、各ノズル４が順次導入されるとき、ノズル４によってエア導入口２が拡大され、そのピッチＰ２が減少するが、ピッチＰ２が減少するとき、各フィルム３ａ，３ｂが各クランプローラ１７に作用し、摩擦によって各クランプローラ１７が回転する。したがって、クランプローラ１７によって各フィルム３ａ，３ｂが案内され、変位し、その抵抗は小さい。この結果、ピッチＰ２が的確に減少する。
【００２６】
以上説明したように、この発明によれば、各ノズル４を各フィルム３ａ，３ｂ間に押し込み、各エア導入口２に挿入し、各ノズル４によってエアを導入することができる。したがって、エアを自動的に導入することができ、所期の目的を達成することができるものである。
【図面の簡単な説明】
【００２７】
【図１】この発明の実施例を示す正面図である。
【図２】図１の装置の側面図である。
【図３】図２のノズルガイドが揺動する前の状態を示す説明図である。
【図４】図２のノズルガイドが斜めに下降した状態を示す説明図である。
【図５】図４のクランプ材が閉じられた状態を示す説明図である。
【図６】他の実施例を示す正面図である。
【図７】図６の装置の断面図である。
【符号の説明】
【００２８】
１  袋
２  エア導入口
３ａ，３ｂ  プラスチックフィルム
４  ノズル
５  ノズルガイド
６  テーパ面
７  端縁
８  孔
１０，１３  弾性クランプ材
【図１】
2005126143.tif 000003
【図２】
2005126143.tif 000004
【図３】
2005126143.tif 000005
【図４】
2005126143.tif 000006
【図５】
2005126143.tif 000007
【図６】
2005126143.tif 000008
【図７】
2005126143.tif 000009